(57)【特許請求の範囲】
【請求項１】
容器の口部に取り付けられる中栓と、回転することにより中栓に着脱自在なねじ式の蓋とを有し、
蓋は中栓の上方から下向きに打栓されるものであり、
中栓は周囲が破断可能な弱化部で囲まれた離脱部を有し、
弱化部が破断して離脱部が中栓から離脱することにより、中栓に注出口が形成されるキャップであって、
離脱部は上方ほど縮径する円錐部を有し、
蓋は内部に筒状の保持部を有し、
離脱部の外周に、第１の係合部が周方向において複数形成され、
保持部の内周に、第２の係合部が周方向において複数形成され、
蓋を軸心方向に移動して中栓に取り付ける際、離脱部が保持部内に入り込むとともに、第１および第２の係合部のいずれか一方の係合部間に他方の係合部が導入され、
蓋が開方向へ回転した際、第１の係合部と第２の係合部とが開方向において係合し、
第１および第２の係合部のいずれか一方の係合部間に他方の係合部を案内する案内手段が備えられ、
案内手段は離脱部の円錐部の外周面に形成されている第１の係合部に設けられていることを特徴とするキャップ。
【請求項２】
第１の係合部は離脱部の外周から径方向外側へ突出した第１の突起部であり、
第２の係合部は保持部の内周から径方向内側へ突出した第２の突起部であり、
案内手段は第１および第２の突起部の少なくとも第１の突起部に形成された傾斜面であることを特徴とする請求項１記載のキャップ。
【請求項３】
中栓の外周と蓋の内周とに、互いに螺合するねじが形成され、
中栓のねじと蓋のねじとの少なくともいずれかのねじは、周方向において、間欠的に形成されていることを特徴とする請求項１又は請求項２に記載のキャップ。
【請求項４】
保持部の内側に、保持部内に突出する嵌め込み部が設けられ、
蓋を中栓に打栓して取り付ける際、離脱部の先端が嵌め込み部に嵌め込まれることを特徴とする請求項１から請求項３のいずれか１項に記載のキャップ。
【請求項５】
中栓は注出筒を有し、
離脱部は注出筒内に設けられ、
離脱部の外周と注出筒の内周との間に環状の間隙が形成され、
弱化部は間隙の底部にあり、
蓋に、蓋の取付方向から離脱部に当接可能な当接部が形成され、
蓋を中栓に打栓して取り付ける際、保持部が取付方向から間隙に挿入されるとともに、当接部が取付方向から離脱部に当接することを特徴とする請求項１から請求項４のいずれか１項に記載のキャップ。
【発明の詳細な説明】
【技術分野】
【０００１】
本発明は、容器の口部に取り付けられるキャップに関する。
【背景技術】
【０００２】
従来、この種のキャップとしては、例えば図１７〜図１９に示すように、容器の口部に取り付けられる中栓１０１と、回転することにより中栓１０１に着脱自在な蓋１０２とを有し、中栓１０１は周囲が破断可能な薄肉ライン（図示省略）で囲まれた除去領域（図示省略）を有し、薄肉ラインが破断して除去領域が中栓１０１から離脱することにより、中栓１０１に注出口（図示省略）が形成されるものが記載されている。
【０００３】
図１７に示すように、除去領域には楕円筒状の係止壁１０６が設けられ、係止壁１０６の外面には溝１０７が形成されている。また、図１８に示すように、蓋１０２の内部には複数の外側係止突起１０８と内側係止突起１０９とが設けられ、外側係止突起１０８には突条１１０が形成されている。中栓１０１の外周には雄ねじ１１１が形成され、蓋１０２の内周には雌ねじ１１２が形成されている。
【０００４】
これによると、蓋１０２を軸心方向１１３に移動して中栓１０１に取り付ける際、図１９に示すように、内側係止突起１０９が係止壁１０６の内側に挿入されるとともに外側係止突起１０８が係止壁１０６の外側に位置する。その後、中栓１０１を容器の口部に取り付ける。
【０００５】
その後、容器の内容物を消費する際には、蓋１０２を開方向１１４へ回転させる。これにより、外側係止突起１０８が係止壁１０６の外周面に当接するとともに内側係止突起１０９が係止壁１０６の内周面に当接し、外側および内側係止突起１０８，１０９が開方向１１４において係止壁１０６に係合し、外側および内側係止突起１０８，１０９を介して係止壁１０６に加えられる回転力によって薄肉ラインが破断し、除去領域が中栓１０１から除去され、中栓１０１に注出口が形成される。
【０００６】
この際、外側係止突起１０８には突条１１０が係止壁１０６の溝１０７に係合しているため、蓋１０２を中栓１０１から外した際、除去領域は蓋１０２の内側に保持される。
尚、上記のようなキャップは例えば下記特許文献１に記載されている。
【先行技術文献】
【特許文献】
【０００７】
【特許文献１】特開２０１２−２１０９７３
【発明の概要】
【発明が解決しようとする課題】
【０００８】
しかしながら上記の従来形式では、蓋１０２を軸心方向１１３に移動して中栓１０１に取り付ける際、図１９に示すように、内側係止突起１０９が係止壁１０６の内側に挿入されるとともに外側係止突起１０８が係止壁１０６の外側に位置するように、蓋１０２を中栓１０１に対し周方向において正確に位置合わせする必要があり、このような位置合わせが面倒であるといった問題がある。尚、位置合わせをせず、蓋１０２の位置が周方向にずれた場合、軸心方向１１３における内側係止突起１０９の先端又は外側係止突起１０８の先端が係止壁１０６の先端に当接し、蓋１０２を中栓１０１に取り付けることができないといった問題がある。
【０００９】
また、蓋１０２を回転して中栓１０１から外した際、除去領域を蓋１０２の内側に保持するために、係止壁１０６に溝１０７を形成し、外側係止突起１０８に突条１１０を形成する必要があり、構成が複雑化するといった問題がある。
【００１０】
本発明は、蓋を軸心方向に移動して中栓に取り付ける際、蓋を中栓に対し周方向において位置合わせする必要がなく、蓋を回転して中栓から外した際、シンプルな構成で離脱部（除去領域）を蓋の内側に保持することが可能なキャップを提供することを目的とする。
【課題を解決するための手段】
【００１１】
上記目的を達成するために、本第１発明は、容器の口部に取り付けられる中栓と、回転することにより中栓に着脱自在なねじ式の蓋とを有し、
蓋は中栓の上方から下向きに打栓されるものであり、
中栓は周囲が破断可能な弱化部で囲まれた離脱部を有し、
弱化部が破断して離脱部が中栓から離脱することにより、中栓に注出口が形成されるキャップであって、
離脱部は上方ほど縮径する円錐部を有し、
蓋は内部に筒状の保持部を有し、
離脱部の外周に、第１の係合部が周方向において複数形成され、
保持部の内周に、第２の係合部が周方向において複数形成され、
蓋を軸心方向に移動して中栓に取り付ける際、離脱部が保持部内に入り込むとともに、第１および第２の係合部のいずれか一方の係合部間に他方の係合部が導入され、
蓋が開方向へ回転した際、第１の係合部と第２の係合部とが開方向において係合し、
第１および第２の係合部のいずれか一方の係合部間に他方の係合部を案内する案内手段が備えられ、
案内手段は離脱部の円錐部の外周面に形成されている第１の係合部に設けられているものである。
【００１２】
これによると、蓋を中栓の上方から下向きに打栓して中栓に取り付ける際、離脱部が保持部内に入り込んで保持されるとともに、案内手段によって、第１および第２の係合部のいずれか一方の係合部間に他方の係合部が案内されて導入される。このため、蓋を、中栓に対して、周方向において位置合わせする必要はない。
また、上記のように蓋を中栓の上方から下向きに打栓して中栓に取り付ける際、万一、蓋の中心が中栓の中心に対してわずかに径方向にずれていても、蓋の保持部の先端が中栓の離脱部の円錐部の外周面に当接しながら取付方向へ移動することにより、蓋が中栓に対して径方向に案内されて位置決めされる。このため、蓋の径方向におけるずれが修正される。
【００１３】
蓋を中栓に取り付けた後、中栓を容器の口部に取り付ける。その後、容器の内容物を消費する際には、蓋を開方向へ回転させる。これにより、第１の係合部と第２の係合部とが開方向において係合し、蓋の回転力が第１および第２の係合部を介して離脱部に加えられ、この回転力によって弱化部が破断し、離脱部が中栓から離脱し、中栓に注出口が形成される。
【００１４】
この際、離脱部は保持部内に入り込んで保持されているため、蓋を回転して中栓から取り外すと、離脱部は蓋の内側から脱落せずに蓋の内側に留まる。このように、蓋に筒状の保持部を備えるだけのシンプルな構成で、離脱部を蓋の内側に保持することができるため、従来のように離脱部を蓋の内側に保持するために溝や突条を形成する必要はない。
【００１６】
本第２発明におけるキャップは、第１の係合部は離脱部の外周から径方向外側へ突出した第１の突起部であり、
第２の係合部は保持部の内周から径方向内側へ突出した第２の突起部であり、
案内手段は第１および第２の突起部の少なくとも第１の突起部に形成された傾斜面であるものである。
【００１７】
これによると、蓋を軸心方向に移動して中栓に取り付ける際、離脱部が保持部内に入り込んで保持されるとともに、他方の突起部が傾斜面によって一方の突起部間に案内されながら導入されるため、蓋を、中栓に対して、周方向において位置合わせする必要はない。
【００１８】
本第３発明におけるキャップは、中栓の外周と蓋の内周とに、互いに螺合するねじが形成され、
中栓のねじと蓋のねじとの少なくともいずれかのねじは、周方向において、間欠的に形成されているものである。
【００１９】
これによると、蓋を軸心方向に移動して中栓に取り付ける際、離脱部が保持部内に入り込んで保持されるとともに、第１および第２の係合部のいずれか一方の係合部間に他方の係合部が導入され、蓋のねじ山が中栓のねじ山を乗り越える。中栓のねじと蓋のねじとの少なくともいずれかのねじは全周ではなく間欠的に形成されているため、蓋のねじ山が中栓のねじ山を乗り越えるときの抵抗が低減され、蓋を中栓に取り付けるのに要する力を軽減することができる。
【００２０】
本第４発明におけるキャップは、保持部の内側に、保持部内に突出する嵌め込み部が設けられ、
蓋を中栓に打栓して取り付ける際、離脱部の先端が嵌め込み部に嵌め込まれるものである。
本第５発明におけるキャップは、中栓は注出筒を有し、
離脱部は注出筒内に設けられ、
離脱部の外周と注出筒の内周との間に環状の間隙が形成され、
弱化部は間隙の底部にあり、
蓋に、蓋の取付方向から離脱部に当接可能な当接部が形成され、
蓋を中栓に打栓して取り付ける際、保持部が取付方向から間隙に挿入されるとともに、当接部が取付方向から離脱部に当接するものである。
【００２１】
これによると、蓋を軸心方向に移動して中栓に取り付ける際、保持部が取付方向から間隙に挿入されるとともに、当接部が取付方向から離脱部に当接する。これにより、保持部の間隙への挿入量が規制されるため、保持部が間隙に過剰に挿入されることはなく、保持部の先端が弱化部に当接して弱化部を破断させてしまうのを防止することができる。
【発明の効果】
【００２２】
以上のように本発明によると、蓋を軸心方向に移動して中栓に取り付ける際、蓋を、中栓に対して、周方向において位置合わせする必要はない。その後、蓋を回転して中栓から取り外した際、シンプルな構成で離脱部を蓋の内側に保持することが可能である。
【図面の簡単な説明】
【００２３】
【図１】本発明の第１の実施の形態におけるキャップの半分を断面表示した側面図である。
【図２】同、キャップの中栓の斜視図である。
【図３】同、キャップの中栓の平面図である。
【図４】同、キャップの中栓の半分を断面表示した側面図である。
【図５】図３におけるＸ部分の拡大図である。
【図６】図５におけるＹ−Ｙ矢視図であり、第１の突起部を離脱部の径方向外側から見たときの形状を示す。
【図７】同、キャップの蓋の斜視図である。
【図８】図７におけるＷ−Ｗ矢視図である。
【図９】同、キャップの蓋の半分を断面表示した側面図である。
【図１０】図８におけるＺ部分の拡大図である。
【図１１】図１０におけるＶ−Ｖ矢視図であり、第２の突起部を保持部の径方向内側から見たときの形状を示す。
【図１２】同、キャップの蓋を中栓に打栓する際、第２の突起部が第１の突起部間に案内されながら導入される様子を示す図である。
【図１３】治具を用いてキャップの蓋を中栓に打栓する際の様子を示す図である。
【図１４】同、キャップの蓋を回転して中栓から取り外した状態を示す図である。
【図１５】本発明の第２の実施の形態におけるキャップの中栓の平面図である。
【図１６】同、キャップの蓋の底面図である。
【図１７】従来の中栓の斜視図である。
【図１８】同、蓋の斜視図である。
【図１９】同、蓋を中栓に取り付けたときの係止壁と外側および内側係止突起との斜視図である。
【発明を実施するための形態】
【００２４】
以下、本発明における実施の形態を、図面を参照して説明する。
（第１の実施の形態）
第１の実施の形態では、図１に示すように、１は容器２に取付けられたキャップである。キャップ１は、容器２の口部３に取付けられる中栓４と、回転することにより中栓４に着脱自在なねじ式の蓋５とを有している。
【００２５】
図２〜図６に示すように、中栓４は、円筒状の胴部８と、胴部８の先端部から突出して形成された円筒状の注出筒９と、注出筒９を閉鎖して容器２の内部と外部とを隔てる離脱部１０と、第１円筒部１１とを有している。
【００２６】
胴部８は内筒部１２と外筒部１３とを有し、内筒部１２と外筒部１３との間には、下方が開放された嵌入部１４が全周にわたり形成されている。容器２の口部３が嵌入部１４に嵌め込まれることで、図１に示すように、中栓４が容器２に取付けられる。
【００２７】
離脱部１０は、注出筒９内に設けられ、周囲が破断可能な円環状の弱化部１５で囲まれている。尚、弱化部１５は薄肉のラインであり、図１４に示すように、弱化部１５が破断して離脱部１０が中栓４から離脱することにより、注出筒９内に注出口１６が形成される。
【００２８】
離脱部１０は、円筒部１７と、円筒部１７の先端から上方ほど縮径する円錐部１８と、円錐部１８の上端を閉塞する円形の天板部１９とを有している。離脱部１０の外周と注出筒９の内周との間には円環状の間隙２０が形成され、弱化部１５は間隙２０の底部にある。
【００２９】
第１円筒部１１は、注出筒９の径方向外側にあり、注出筒９の外周を取り囲むように形成されている。第１円筒部１１の外周面には雄ねじ２２が全周にわたり形成されている。また、胴部８の外周面には、径方向外側へ突出する突起部２３と外鍔部２４とがそれぞれ全周にわたり形成されている。尚、突起部２３は、軸心方向Ａにおいて、雄ねじ２２と外鍔部２４との間に位置している。また、突起部２３と外鍔部２４との間には凹部２５が形成されている。
【００３０】
図７〜図１１に示すように、蓋５は、円形の頂板部２７（当接部の一例）と、頂板部２７の外周縁から垂下する円筒状のスカート部２８と、改竄防止用の円環状の封印帯２９とを有するとともに、内部に保持部３０と第２円筒部３１とを有している。封印帯２９は、周方向における複数箇所に形成された接続部位３２（ブリッジ）を残して、スカート部２８の下端から切断されており、接続部位３２を介してのみスカート部２８の下端に接続されている。また、封印帯２９の下端内周部には、凸部３５が全周にわたり形成されており、蓋５を中栓４に取り付けた状態で、凸部３５が凹部２５に嵌め込まれる。
【００３１】
保持部３０は、円筒状の部材であり、頂板部２７から垂下されている。また、図１に示すように、頂板部２７は蓋５の取付方向Ｂから離脱部１０の上端面に当接可能である。第２円筒部３１は、径方向において、スカート部２８と保持部３０との間に設けられている。第２円筒部３１の内周面には雌ねじ３３が全周にわたり形成されており、図１に示すように、中栓４の雄ねじ２２と蓋５の雌ねじ３３とが互いに螺合する。
【００３２】
また、保持部３０の内側には、頂板部２７の内面から保持部３０内に突出した円環状の嵌め込み部３４が設けられている。
図２〜図６に示すように、中栓４の離脱部１０の外周面には、第１の突起部３７（第１の係合部の一例）が周方向Ｃにおいて複数形成され、図７〜図１１に示すように、蓋５の保持部３０の内周面には、第２の突起部３８（第２の係合部の一例）が周方向Ｃにおいて複数形成されている。
【００３３】
各第１の突起部３７は、離脱部１０の外周面から径方向外側へ突出しており、図６に示すように、径方向外側から見て、上端（先端）が先細りの山形状である。尚、各第１の突起部３７は、離脱部１０の円錐部１８の外周面と円筒部１７の外周面とにわたり形成されている。また、各第２の突起部３８は、保持部３０の内周面から径方向内側へ突出しており、図１１に示すように、径方向内側から見て、下端（先端）が先細りの逆山形状である。
【００３４】
図６，図１１，図１２に示すように、周方向Ｃにおいて隣り同士の第１の突起部３７（一方の係合部の一例）間に第２の突起部３８（他方の係合部の一例）を案内する第１および第２の傾斜面４１，４２（案内手段の一例）が第１および第２の突起部３７，３８に形成されている。すなわち、第１の傾斜面４１は第１の突起部３７に形成され、第２の傾斜面４２は第２の突起部３８に形成されている。
【００３５】
以下、上記構成における作用を説明する。
先ず、中栓４と蓋５とを個別に製作した後、蓋５を軸心方向Ａへ移動して中栓４に取り付ける。この際、図１３に示すように、中栓４の内部に治具５０を挿入し、蓋５を中栓４の上方から下向き（取付方向Ｂ）に打栓する（打ち込む）。これにより、図１に示すように、保持部３０が取付方向Ｂ（すなわち打栓方向）から間隙２０（図４参照）に挿入されるとともに、頂板部２７が取付方向Ｂから離脱部１０の上端面に当接し、雌ねじ３３が雄ねじ２２を乗り越え、封印帯２９の凸部３５が凹部２５に嵌め込まれ、離脱部１０が保持部３０内に入り込んで保持され、離脱部１０の先端部が嵌め込み部３４に嵌め込まれ、図１２に示すように、第１の突起部３７間に第２の突起部３８が導入され、蓋５が中栓４に取り付けられる。
【００３６】
このとき、図１に示すように、上記のように頂板部２７が取付方向Ｂから離脱部１０の上面に当接するため、保持部３０の間隙２０（図４参照）への挿入量が規制される。これにより、保持部３０が間隙２０に過剰に挿入されることはなく、保持部３０の先端が弱化部１５に当接して弱化部１５を破断させてしまうのを防止することができる。
【００３７】
また、蓋５を中栓４に打栓して取り付ける際、蓋５が中栓４に対して取付方向Ｂへ移動するのに伴って、図１２に示すように、第２の傾斜面４２が第１の傾斜面４１に当接し、第２の突起部３８が第１および第２の傾斜面４１，４２によって第１の突起部３７間に案内されながら導入されるため、蓋５を中栓４に対し周方向Ｃにおいて位置合わせする必要はない。
【００３８】
さらに、万一、蓋５の中心が中栓４の中心に対してわずかに径方向にずれていても、蓋５の保持部３０の先端が中栓４の離脱部１０の円錐部１８の外周面に当接しながら取付方向Ｂへ移動することにより、蓋５が中栓４に対して径方向に案内されて位置決めされるため、蓋５の径方向におけるずれが修正される。
【００３９】
蓋５を中栓４に取り付けた後、治具５０を中栓４の内部から取り外し、図１に示すように、容器２の口部３を嵌入部１４に嵌め込んで、中栓４を容器２に取付ける。
その後、容器２の内容物を消費する際には、蓋５を開方向Ｏへ回転させる。これにより、第１の突起部３７と第２の突起部３８とが開方向Ｏにおいて互いに係合し、蓋５の回転力が第１および第２の突起部３７，３８を介して離脱部１０に加えられ、図１４に示すように、この回転力によって弱化部１５が破断し、離脱部１０が中栓４から離脱し、中栓４の注出筒９内に注出口１６が形成される。
【００４０】
この際、離脱部１０は保持部３０内に入り込んで保持されているため、蓋５を回転して中栓４から外した際、離脱部１０は蓋５の内側から脱落せずに蓋５の内側に留まる。このように、蓋５に円筒状の保持部３０を備えるだけのシンプルな構成で、離脱部１０を蓋５の内側に保持することができるため、従来のように離脱部を蓋の内側に保持するために溝や突条を形成する必要はない。
【００４１】
尚、蓋５を回転して中栓４から外す際には、封印帯２９の凸部３５が凹部２５に嵌め込まれた状態で、封印帯２９とスカート部２８とを接続している接続部位３２が破断し、封印帯２９が蓋５から分離して中栓４側に残留する。
【００４２】
また、離脱部１０の先端部が嵌め込み部３４に嵌め込まれることにより、離脱部１０がより一層強く保持部３０内に固定される。
（第２の実施の形態）
第２の実施の形態では、図１５に示すように、突起部２３は、中栓４の胴部８の全周ではなく、周方向において４５°おきに振り分けられた八箇所に、間欠的（非連続的）に形成されている。尚、八箇所に限定されるものではなく、突起部２３を八箇所以外の複数箇所に形成してもよい。また、図１６に示すように、雌ねじ３３は、蓋５の第２円筒部３１の全周ではなく、周方向において９０°おきに振り分けられた四箇所に、間欠的（非連続的）に形成されている。尚、四箇所に限定されるものではなく、雌ねじ３３を四箇所以外の複数箇所に形成してもよい。
【００４３】
これによると、雌ねじ３３が蓋５の周方向Ｃにおいて間欠的に形成されているため、図１３に示すように、中栓４の内部に治具５０を挿入し、蓋５を中栓４の上方から下向きに打栓する際、雌ねじ３３が雄ねじ２２を乗り越えるときの抵抗が低減される。これにより、蓋５を中栓４に打栓して取り付けるのに要する押圧力を軽減することができる。
【００４４】
同様に、突起部２３も中栓４の周方向Ｃにおいて間欠的に形成されているため、封印帯２９の凸部３５が凹部２５に嵌め込まれる際、凸部３５が突起部２３を乗り越えるときの抵抗が低減される。これにより、蓋５を中栓４に打栓して取り付けるのに要する押圧力をさらに軽減することができる。
【００４５】
上記第２の実施の形態では、雌ねじ３３を間欠的に形成し、雄ねじ２２を全周にわたり形成しているが、雄ねじ２２を間欠的に形成し、雌ねじ３３を全周にわたり形成してもよい。また、雄ねじ２２と雌ねじ３３とをそれぞれ間欠的に形成してもよい。
【００４６】
また、突起部２３を間欠的に形成し、凸部３５を全周にわたり形成しているが、凸部３５を間欠的に形成し、突起部２３を全周にわたり形成してもよい。また、突起部２３と凸部３５とをそれぞれ間欠的に形成してもよい。
【００４７】
上記各実施の形態では、図６に示すように、第１の突起部３７に第１の傾斜面４１を形成し、図１１に示すように、第２の突起部３８に第２の傾斜面４２を形成したが、第１の傾斜面４１と第２の傾斜面４２とのいずれか片方の傾斜面のみを形成してもよい。
【符号の説明】
【００４８】
１      キャップ
２      容器
３      口部
４      中栓
５      蓋
９      注出筒
１０    離脱部
１５    弱化部
１６    注出口
２０    間隙
２２    雄ねじ
２７    頂板部（当接部）
３０    保持部
３３    雌ねじ
３７    第１の突起部（第１の係合部）
３８    第２の突起部（第２の係合部）
４１    第１の傾斜面（案内手段）
４２    第２の傾斜面（案内手段）
Ａ      軸心方向
Ｂ      取付方向
Ｃ      周方向
Ｏ      開方向
【図１】
0006444072.tif 000002
【図２】
0006444072.tif 000003
【図３】
0006444072.tif 000004
【図４】
0006444072.tif 000005
【図５】
0006444072.tif 000006
【図６】
0006444072.tif 000007
【図７】
0006444072.tif 000008
【図８】
0006444072.tif 000009
【図９】
0006444072.tif 000010
【図１０】
0006444072.tif 000011
【図１１】
0006444072.tif 000012
【図１２】
0006444072.tif 000013
【図１３】
0006444072.tif 000014
【図１４】
0006444072.tif 000015
【図１５】
0006444072.tif 000016
【図１６】
0006444072.tif 000017
【図１７】
0006444072.tif 000018
【図１８】
0006444072.tif 000019
【図１９】
0006444072.tif 000020